(57)【要約】      （修正有）【課題】ヘアカラーリングの施術に際して、顧客の染毛前の毛髪の明度段階（アンダーカラー）に応じて、イメージした仕上がり色を実現するために最適なヘアカラー製品を容易に選択することができるアンダーカラーチャートを提供する。【解決手段】ヘアカラー製品による染毛の前に、その製品によって染色された時の毛髪の色を理美容師が理解するためのカラーチャートであって、毛髪の明度段階（アンダーカラー）の色２ａ〜２ｅとこれら各明度段階（アンダーカラー）の毛髪にヘアカラー製品によって染色された色３ａ〜３ｅを対比してシート上に印刷される。【選択図】図１
0003216716.tif 000002
【実用新案登録請求の範囲】
【請求項１】
ヘアカラー製品による染毛の前に、そのヘアカラー製品によって染色された時の毛髪の色を理美容師が理解するためのカラーチャートであって、毛髪の明度段階（アンダーカラー）とこれら各明度段階（アンダーカラー）の毛髪にヘアカラー製品によって染色された色をシート上に印刷されたものであることを特徴とするアンダーカラーチャート。
【請求項２】
毛髪の明度段階（アンダーカラー）が、白、１５レベル、１２レベル、９レベル、６レベルの５段階である請求項１に記載のアンダーカラーチャート。
【請求項３】
毛髪の明度段階（アンダーカラー）とこれら各明度段階（アンダーカラー）の毛髪にヘアカラー製品によって染色された色が、前記ヘアカラー製品の箱に印刷された請求項１又は２に記載のアンダーカラーチャート。
【考案の詳細な説明】
【技術分野】
【０００１】  本考案は、ヘアカラー製品による染毛の前に、その製品によって染色された時の毛髪の色を理美容師が理解するためのカラーチャートに関する。
【背景技術】
【０００２】  ヘアカラー製品によって毛髪が染色される場合、同じヘアカラー製品が使用されても、染毛前の毛髪の明度段階（アンダーカラー）により、染色された毛髪の色が大きく異なる。以前にヘアカラー製品による染色やブリーチ（脱色）製品により明度が高くなった毛髪は、黒髪に比べてヘアカラー製品の色がより強調される。【０００３】  したがって、理美容師は、ヘアカラーリングの施術に際して、顧客の染毛前の毛髪の明度段階（アンダーカラー）を考慮し、各ヘアカラー製品によって染色された時の毛髪の色を予測しながら、最適なヘアカラー製品を選択し、顧客に提案した仕上がり色を実現しなければならない。
しかし、この作業には経験が必要とされ、熟練した理美容師でなければ満足のいくヘアカラーリングの施術を行うことができなかった。【０００４】  さらに、近年理美容室では、根元、中間、毛先に３段階の明度段階（アンダーカラー）を設けヘアカラーリングを施術することや、ウィービングと呼ばれる技術を使って縦方向に異なる明度段階（アンダーカラー）を設けヘアカラーリングを施術する等、顧客に提案するヘアカラーは高度化している。理美容師は、これらのヘアカラーリングの施術に際して、顧客の染毛前の毛髪の明度段階（アンダーカラー）を考慮し、各ヘアカラー製品によって染色された時の毛髪の色を予測しながら、最適なヘアカラー製品を選択し、顧客に提案した仕上がり色を実現しなければならない。
しかし、これらの作業には経験が必要とされ、熟練した理美容師でなければ満足のいくヘアカラーリングの施術を行うことができなかった。
【考案の概要】
【考案が解決しようとする課題】
【０００５】  したがって、本考案の課題は、ヘアカラーリングの施術に際して、顧客の染毛前の毛髪の明度段階（アンダーカラー）に応じて、イメージした仕上がり色を実現するために最適なヘアカラー製品を容易に選択することができる手段を提供することにある。
【課題を解決するための手段】
【０００６】  上記課題を解決するため、本考案は、ヘアカラー製品による染毛の前に、その製品によって染色された時の毛髪の色を理美容師が理解するためのカラーチャートであって、毛髪の明度段階（アンダーカラー）とこれら各明度段階（アンダーカラー）の毛髪にヘアカラー製品によって染色された色をシート上に印刷されたものであることを特徴とするアンダーカラーチャートを構成したものである。【０００７】  上記構成において、好ましくは、毛髪の明度段階（アンダーカラー）が、日本人の毛髪の明るさを計るのに適したツールであるＮＰＯ法人日本ヘアカラー協会製のＪＨＣＡレベルスケールの１５レベル、１２レベル、９レベル、６レベルの４段階に、白を加えた５段階となるように設定される。
また、より好ましくは、上記５段階に設定された毛髪の明度段階（アンダーカラー）とこれら各明度段階（アンダーカラー）の毛髪にヘアカラー製品によって染色された色が、前記ヘアカラー製品の箱に印刷されている。
【考案の効果】
【０００８】  本考案によれば、毛髪の明度段階（アンダーカラー）とこれら各明度段階（アンダーカラー）の毛髪にヘアカラー製品によって染色された色との対応関係をカラーチャート化したので、ヘアカラーリングの施術前に、顧客の毛髪の明度段階（アンダーカラー）から、ヘアカラー製品によって染色された時の毛髪の色を、このアンダーカラーチャートを見るだけで、極めて容易に把握することができる。
このアンダーカラーチャートを使用することによって、経験に頼ることなく、最適なヘアカラー製品の選択を行うことができる。
【考案を実施するための形態】
【０００９】  以下、添付図面を参照して、本考案の好ましい実施例について説明する。図１は、本考案の１実施例によるヘアカラーリングの施術前に使用するアンダーカラーチャートの平面図である。
本考案によるヘアカラーリングの施術前に使用するアンダーカラーチャートは、２つのパートからなり、染毛前の毛髪の明度段階（アンダーカラー）の色を左側に、染毛前の毛髪の明度段階（アンダーカラー）に対応した染色後の色を右側に配置し、シート１に印刷されたものから構成される。
【００１０】  アンダーカラーチャートは、ヘアカラー製品の色毎に各１枚作成する。この実施例では、左側には、毛髪の明度段階（アンダーカラー）を５段階として２ａ〜２ｅが表示されている。右側には、染毛前の毛髪の明度段階（アンダーカラー）に対応した染色後の色３ａ〜３ｅが表示されている。
【００１１】  また、ヘアカラー製品の箱４に、左側には、毛髪の明度段階（アンダーカラー）を５段階として２ａ〜２ｅを表示し、右側には、染毛前の毛髪の明度段階（アンダーカラー）に対応した染色後の色を３ａ〜３ｅを表示したアンダーカラ‐チャートが印刷されている。
【００１２】  次に、本考案によるアンダーカラーチャートの具体的な作成方法を説明する。
ヘアカラー製品のラインアップを構成する全製品を用いて、それぞれ、異なる明度段階（アンダーカラー）の毛髪サンプルを染色する。ヘアカラー製品の色毎に、染色前の毛髪の明度段階（アンダーカラー）の色と、染毛前の毛髪の明度段階（アンダーカラー）に対応した前記毛髪サンプルの染色後の色を、製品色に対するイメージ等を考慮した上で印刷し、アンダーカラーチャートが作成される。
【００１３】  そして、このアンダーカラーチャートを見るだけで、ヘアカラーリングの施術前に、顧客の染毛前の毛髪の明度段階（アンダーカラー）から、当該ヘアカラー製品によって染色された時の毛髪の色を、極めて容易に把握することができる。
【図面の簡単な説明】
【００１４】
【図１】本考案の１実施例によるアンダーカラーチャートの平面図である。
【図２】毛髪の明度段階（アンダーカラー）とこれら各明度段階（アンダーカラー）の毛髪にヘアカラー製品によって染色された色が、前記ヘアカラー製品の箱に印刷されアンダーカラーチャートである。
【符号の説明】
【００１５】  １  シート
２  染色前の毛髪の明度段階（アンダーカラー）の色
３  染毛前の毛髪の明度段階（アンダーカラー）に対応した染色後の色
４  ヘアカラー製品の箱
【図１】
0003216716.tif 000003
【図２】
0003216716.tif 000004
【手続補正書】
【提出日】平成30年3月28日(2018.3.28)
【手続補正１】
【補正対象書類名】実用新案登録請求の範囲
【補正対象項目名】請求項１
【補正方法】変更
【補正の内容】
【請求項１】
ヘアカラー製品による染毛の前に、そのヘアカラー製品によって染色された時の毛髪の色を理美容師が理解するためのカラーチャートであって、毛髪の各明度段階（アンダーカラー）の色とこれら各明度段階（アンダーカラー）の毛髪にヘアカラー製品によって染色された色を対比してシート上に印刷されたものであることを特徴とするアンダーカラーチャート。
【手続補正２】
【補正対象書類名】実用新案登録請求の範囲
【補正対象項目名】請求項３
【補正方法】変更
【補正の内容】
【請求項３】
毛髪の各明度段階（アンダーカラー）の色とこれら各明度段階（アンダーカラー）の毛髪にヘアカラー製品によって染色された色が、対比して前記ヘアカラー製品の箱に印刷された請求項１又は２に記載のアンダーカラーチャート。
【手続補正３】
【補正対象書類名】明細書
【補正対象項目名】０００６
【補正方法】変更
【補正の内容】
【０００６】        上記課題を解決するため、本考案は、ヘアカラー製品による染毛の前に、その製品によって染色された時の毛髪の色を理美容師が理解するためのカラーチャートであって、毛髪の各明度段階（アンダーカラー）の色とこれら各明度段階（アンダーカラー）の毛髪にヘアカラー製品によって染色された色を対比してシート上に印刷されたものであることを特徴とするアンダーカラーチャートを構成したものである。
【手続補正４】
【補正対象書類名】明細書
【補正対象項目名】０００７
【補正方法】変更
【補正の内容】
【０００７】          上記構成において、好ましくは、毛髪の明度段階（アンダーカラー）が、日本人の毛髪の明るさを計るのに適したツールであるＮＰＯ法人日本ヘアカラー協会製のＪＨＣＡレベルスケールの１５レベル、１２レベル、９レベル、６レベルの４段階に、白を加えた５段階となるように設定される。  また、より好ましくは、上記５段階に設定された毛髪の各明度段階（アンダーカラー）の色とこれら各明度段階（アンダーカラー）の毛髪にヘアカラー製品によって染色された色が、対比して前記ヘアカラー製品の箱に印刷されている。
【手続補正５】
【補正対象書類名】明細書
【補正対象項目名】０００８
【補正方法】変更
【補正の内容】
【０００８】          本考案によれば、毛髪の各明度段階（アンダーカラー）の色とこれら各明度段階（アンダーカラー）の毛髪にヘアカラー製品によって染色された色を対比してカラーチャート化したもので、ヘアカラーリングの施術前に、顧客の毛髪の明度段階（アンダーカラー）から、ヘアカラー製品によって染色された時の毛髪の色を、このアンダーカラーチャートを見るだけで、極めて容易に把握することができる。  このアンダーカラーチャートを使用することによって、経験に頼ることなく、最適なヘアカラー製品の選択を行うことができる。
【手続補正６】
【補正対象書類名】明細書
【補正対象項目名】０００９
【補正方法】変更
【補正の内容】
【０００９】          以下、添付図面を参照して、本考案の好ましい実施例について説明する。図１は、本考案の１実施例によるヘアカラーリングの施術前に使用するアンダーカラーチャートの平面図である。  本考案によるヘアカラーリングの施術前に使用するアンダーカラーチャートは、２つのパートからなり、染毛前の毛髪の各明度段階（アンダーカラー）の色を左側に、染毛前の毛髪の各明度段階（アンダーカラー）の色に対比した染色後の色を右側に配置し、シート１に印刷されたものから構成される。
【手続補正７】
【補正対象書類名】明細書
【補正対象項目名】００１０
【補正方法】変更
【補正の内容】
【００１０】          アンダーカラーチャートは、ヘアカラー製品の色毎に各１枚作成する。この実施例では、左側には、毛髪の明度段階（アンダーカラー）を５段階として毛髪の色２ａ〜２ｅが表示されている。右側には、染毛前の毛髪の各明度段階（アンダーカラー）の色に対比した染色後の色３ａ〜３ｅが表示されている。
【手続補正８】
【補正対象書類名】明細書
【補正対象項目名】００１１
【補正方法】変更
【補正の内容】
【００１１】          また、ヘアカラー製品の箱４に、左側には、毛髪の明度段階（アンダーカラー）を５段階として毛髪の色２ａ〜２ｅを表示し、右側には、染毛前の毛髪の各明度段階（アンダーカラー）の色に対比した染色後の色３ａ〜３ｅを表示したアンダーカラーチャートが印刷されている。
【手続補正９】
【補正対象書類名】明細書
【補正対象項目名】００１２
【補正方法】変更
【補正の内容】
【００１２】          次に、本考案によるアンダーカラーチャートの具体的な作成方法を説明する。  ヘアカラー製品のラインアップを構成する全製品を用いて、それぞれ、異なる明度段階（アンダーカラー）の毛髪サンプルを染色する。ヘアカラー製品の色毎に、染色前の毛髪の各明度段階（アンダーカラー）の色と、染毛前の毛髪の各明度段階（アンダーカラー）の色に対比した前記毛髪サンプルの染色後の色を、製品色に対するイメージ等を考慮した上で印刷し、アンダーカラーチャートが作成される。
【手続補正１０】
【補正対象書類名】明細書
【補正対象項目名】００１４
【補正方法】変更
【補正の内容】
【００１４】
【図１】本考案の１実施例によるアンダーカラーチャートの平面図である。
【図２】毛髪の各明度段階（アンダーカラー）の色とこれら各明度段階（アンダーカラー）の毛髪にヘアカラー製品によって染色された色が、対比して前記ヘアカラー製品の箱に印刷されアンダーカラーチャートである。
【手続補正１１】
【補正対象書類名】明細書
【補正対象項目名】００１５
【補正方法】変更
【補正の内容】
【００１５】        １  シート        ２  染色前の毛髪の各明度段階（アンダーカラー）の色        ３  染毛前の毛髪の各明度段階（アンダーカラー）の色に対比した染色後の色        ４  ヘアカラー製品の箱